(57)【要約】      （修正有）【課題】簡便に吸引ボトルを脱着することができ、確実に被吸引物を吸引することができる電動式可搬型吸引器を提供する。【解決手段】被吸引物を吸引して吸引ボトルに排出する吸引器１は、被吸引物を吸引する吸引口１３と、吸引口に吸引ボトルの接続口３１を接続し吸引ボトルを着脱可能に固定する吸引ボトル着脱機構１４と、が設けられた吸引器本体２、および接続口と、ボトル着脱機構に差し込まれるボトル接続部３５と、が設けられた吸引ボトル３を備える。【選択図】図２
0003200672.tif 000002
【実用新案登録請求の範囲】
【請求項１】
被吸引物を吸引して吸引ボトルに排出する吸引器であって、
被吸引物を吸引する吸引口と、該吸引口を吸引ボトルの接続口を接続し該吸引ボトルを着脱可能に固定する吸引ボトル着脱機構と、が設けられた吸引器本体と、
前記接続口と、前記ボトル着脱機構に差し込まれるボトル接続部と、が設けられた吸引ボトルと、
を備える吸引器。
【請求項２】
前記ボトル着脱機構は、前記吸引器本体に設けられたボトル挿入ガイド受けと、前記吸引ボトルの方向に位置する一端の下面に係止部が設けられたボトルストッパーレバーと、を含み、
前記吸引ボトルは、さらに、前記ボトル挿入ガイド受けに挿入される前記ボトル接続部のボトル挿入ガイドと、前記係止部が嵌合するスリット部を有する請求項１の吸引器。
【請求項３】
前記ボトルストッパーレバーは、さらに、該ボトルストッパーレバーを回動する回動中心を有し、該ボトルストッパーレバーに当接してボトルストッパーボタンと、該ボトルストッパーレバーの上面又は下面に当接して付勢部材と、が配置された、請求項１又は請求項２の吸引器。
【請求項４】
前記吸引器本体は、さらに、前記吸引器本体の前記吸引口と同一の一側面に吸引ボトルガイドを有し、
前記吸引ボトルは、さらに、前記吸引ボトルガイドに対応する位置に位置する吸引ボトルガイド受けを有することを特徴とする請求項１〜請求項３のいずれか一項に記載の吸引器。
【請求項５】
前記吸引口と前記接続口がシール材を介して接することを特徴とする請求項１〜請求項４のいずれか一項に記載の吸引器。
【考案の詳細な説明】
【技術分野】
【０００１】
本考案は、医療用及び介護用の電動式可搬型吸引器に関するものである。
【背景技術】
【０００２】
医療又は介護の現場において、喀痰等の液体又は粒状物質等の被吸引物を、吸引器を用いて吸引・除去するが、所定量の被吸引物を吸引し、被吸引物を溜める吸引ボトルに被吸引物が溜まり満杯になると、吸引ボトルを取り外し吸引された被吸引物を廃棄する必要がある。これまでは、特許文献１のように、吸引ボトルと吸引器本体はホースによって繋がれており、吸引ボトルの脱着時には、吸引ボトルに繋がれたホースを外し、吸引ボトルを吸引器本体から取り外した後、新たな（被吸引物を廃棄して空になった）吸引ボトルを所定の位置に設置し、さらに、新たな吸引ボトルにホースを繋ぐ必要があった。
【０００３】
この吸引ボトル脱着作業は煩雑であり、また、確実にホースを連結しないと、ホースが外れたり、連結部から空気を吸い込んで十分に被吸引物を吸引することができない等の問題があった。特に、急を要する医療現場や不慣れな介護者が吸引器を取り扱う可能性がある介護現場等では、トラブル防止の観点から、簡便に脱着作業を行うことができる吸引器が求められていた。
【先行技術文献】
【特許文献】
【０００４】
【特許文献１】特開 第２００４−４９７０４号
【考案の概要】
【考案が解決しようとする課題】
【０００５】
本考案は、簡便に吸引ボトルを脱着することができ、確実に被吸引物を吸引することができる電動式可搬型吸引器を提供することを課題とする。
【課題を解決するための手段】
【０００６】
本考案において、被吸引物を吸引して吸引ボトルに排出する吸引器は、
被吸引物を吸引する吸引口と、該吸引口を吸引ボトルの接続口を接続し該吸引ボトルを着脱可能に固定する吸引ボトル着脱機構と、が設けられた吸引器本体と、
前記接続口と、前記ボトル着脱機構に差し込まれるボトル接続部と、が設けられた吸引ボトルと、
を備える吸引器である。
【０００７】
本考案による吸引器は、簡便に吸引ボトルを吸引器本体から脱着して被吸引物を廃棄することができ、又、吸引ボトルを吸引器本体に装着すると確実に吸引機能を発揮することができる。
【０００８】
本考案において、ボトル着脱機構は、吸引器本体に設けられたボトル挿入ガイド受けと、吸引ボトルの方向に位置する一端の下面に係止部が設けられたボトルストッパーレバーと、を含み、
吸引ボトルは、さらに、ボトル挿入ガイド受けに挿入される前記ボトル接続部のボトル挿入ガイドと、係止部が嵌合するスリット部を有する吸引器である。
【０００９】
本考案により、吸引ボトルが吸引器本体に簡便に固定することができる。
【００１０】
本考案において、ボトルストッパーレバーは、さらに、ボトルストッパーレバーを回動する回動中心を有し、ボトルストッパーレバーに当接してボトルストッパーボタンと、ボトルストッパーレバーの上面又は下面に当接して付勢部材と、が配置された吸引器である。
【００１１】
本考案により、簡便に吸引ボトルを吸引器に着脱することができる。
【００１２】
本考案において、吸引器本体は、さらに、吸引器本体の吸引口と同一の一側面に吸引ボトルガイドを有し、
吸引ボトルは、さらに、吸引ボトルガイドに対応する位置に位置する吸引ボトルガイド受けを有することを特徴とする吸引器である。
【００１３】
吸引ボトルガイドと吸引ボトルガイド受けを有することにより、吸引ボトルを吸引器本体に装着する際に、その位置を容易に定めることが可能となる。
【００１４】
本考案において、吸引器本体の吸引口と吸引ボトルの接続口がシール材を介して接することを特徴とする吸引器である。
【００１５】
吸引器本体の吸引口と吸引ボトルの接続口がシール材を介して接することにより、吸引口と接続口が密着し、その連結部で空気漏れを起こすことなく、確実に吸引ボトルを吸引器本体に装着することができる。
【考案の効果】
【００１６】
本考案による吸引器は、吸引ボトルの交換時に、ホースの付け替えを行うことなく、吸引器ボトルを簡便にワンタッチで吸引器本体から脱着することができる。さらに、ホースの付け替えを行う必要が無いことから、ホースの吸引口又は接続口への取付け方が不十分であったために、ホースが外れたり、空気が漏れて十分に吸引できない等のトラブルを防止することができる。
【図面の簡単な説明】
【００１７】
【図１】図１は、第１の実施形態に係る吸引器の構成を示す全体図である。
【図２】図２は、吸引器の配管系統を示す配管系統図である。
【図３】図３は、第１の実施形態に係る吸引ボトル脱着機構を示す拡大断面図である。
【図４】図４は、第１の実施形態に係る吸引ボトルを示す断面図である。
【図５】図５は、第１の実施形態に係るボトルストッパーボタンが押されていない状態の吸引ボトル脱着機構の内部を表した、模式斜視図である。
【図６】図６は、第１の実施形態に係るボトルストッパーボタンが押された状態の吸引ボトル脱着機構の内部を表した、模式斜視図である。
【図７】図７は、第１の実施形態に係る吸引ボトル脱着機構にシール材が装着された状態を示す拡大断面図である。
【図８】図８は、第２の実施形態に係る吸引ボトルのボトル差込部の一例を表す側面図である。
【図９】図９は、第２の実施形態に係る吸引ボトルのボトル差込部の別の例を表す側面図である。
【図１０】図１０は、第２の実施形態に係る吸引器であって、吸引ボトルが２つ装着された構成を示す斜視図である。
【考案を実施するための形態】
【００１８】
以下、本考案の幾つかの実施形態を、説明する。
【００１９】
（第１の実施形態）
図１に、第１の実施形態に係る吸引器１の構成を示す。吸引器１は、吸引器本体（以下、単に本体とも呼ぶ）２及び吸引ボトル３を備える。吸引ボトル３は、本体２の一側に取り付けられている。なお、本体２に取付けられる吸引ボトルの数は、１に限らず、例えば、大量の被吸引物を吸引するために２以上としてもよい。
【００２０】
図２の配管系統図に、吸引器１の配管系統を示す。本体２は、真空ポンプ１１を内蔵する。真空ポンプ１１は、排気配管２４を介して本体２外部に連結され、また吸引配管１２を介して本体２の一側に設けられた吸引口１３に連結されている。なお、吸引口１３は、吸引ボトル３を本体２に取付けた状態において、その吸引ボトル３の接続口３１に連結される。
【００２１】
吸引ボトル３は、吸引した被吸引物を溜める吸引液溜め部３２を有する。吸引液溜め部３２は、吸引ボトル３に設けられた一次排気管部４２及び空間部４１を介して接続口３１と、吸引ボトル上面に設けられた被吸引物を吸引する吸引ホース(不図示)が接続される吸引ホース口３３に、連結する。
【００２２】
吸引器１を用いて被吸引物を吸引する場合、真空ポンプ１１を作動して、吸引器本体２の吸引配管１２と吸引ボトル３の空間部４１及び一次排気管部４２とを介して、吸引液溜め部３２内部の気体を排気する。それにより、吸引液溜め部３２内に（本体２外部に対して）負圧が発生することで、吸引ホース口３３に連結された吸引ホース（不図示）を介して被吸引物が吸引される。吸引された被吸引物は、これとともに吸引される気体（空気）からから分離して、吸引液溜め部３２に排出される。一方、気体は、排気配管２４を経由して本体２外に排気される。
【００２３】
なお、吸引ボトル３の吸引液溜め部３２は、透明な樹脂からなり、その内部に溜められる被吸引物の量を目視で確認することができる。また、吸引液溜め部３２内部に、被吸引物の液量によって上下するフロート４３が配置されている。吸引液溜め部３２内の被吸引物の液量が所定の量に達すると、フロート４３が上昇して一次排気管部４２を塞ぐ。それにより、被吸引物の吸引が停止され、被吸引物が吸引器本体２に流入するのを防止する。
【００２４】
図３及び図４のそれぞれの断面図に、それぞれ、本体２及び吸引ボトル３の内部構成を示す。本体２には、吸引ボトル着脱機構１４が設けられている。吸引ボトル３には、ボトル接続部３５が設けられている。吸引ボトル３のボトル接続部３５を、本体２の吸引ボトル着脱機構１４から抜き取る・差し込むことにより、吸引ボトル３を吸引器本体２から脱着する。それにより、吸引ボトル３を交換することができる。
【００２５】
吸引ボトル着脱機構１４は、吸引器本体２に取付けられる吸引ボトル３に対応して本体２正面の上部に、下方が開いたＵ字状突起として配置されている。吸引ボトル３に面するＵ字状突起の先端は、開放されている。また、吸引ボトル着脱機構１４は、ボトル挿入ガイド受け１５及びボトルストッパーレバー１６を有する。
【００２６】
ボトル挿入ガイド受け１５は、Ｕ字状突起の内側の側面に、断面が矩形状の溝として配置されている。なお、ボトル挿入ガイド受け１５の断面形状は、矩形に限られず、略半円状等、吸引ボトル３のボトル差込ガイド３６を差し込み易い形状で有れば良い。
【００２７】
図３に示すように、ボトルストッパーレバー１６は、回動中心１７、この一側（図面左側）に付勢部材１９により付勢される部分、他側（図面右側）に下方に延びる係止部２０を有する。また、ボトルストッパーレバー１６には、回動中心１７と係止部２０との間に上方に湾曲し下面が開いた湾曲部が形成されている。本体２には、その湾曲部の内面に当接してボトルストッパーボタン１８が固定されている。また、ボトルストッパーレバー１６の一側の下面に当接して付勢部材１９が固定されている。
【００２８】
ボトルストッパーボタン１８は、吸引ボトル脱着機構１４のＵ字状突起の外側面の両側にそれぞれ１つ設けられている。また、ボトルストッパーボタン１８の吸着ボトル脱着機構１４の内部に位置する先端には、先端に向かって低くなる突起が設けられている。さらに、２つのボトルストッパーボタン１８の間には、ボトルストッパーボタン１８を付勢するボタン付勢部材２１が固定されている。
【００２９】
一方、吸引ボトル３には、図４に示すように、吸引ボトル着脱機構１４に差し込まれるボトル接続部３５に、吸引器本体に設けられたボトル差込ガイド受け１５の位置と形状に対応したボトル差込ガイド３６が設けられている。また、係止部２０が係合するスリット部３７が設けられている。ボトル差込ガイド３６の形状としては、板状、柱状、円柱状等、ボトル差込ガイド受け１５にボトル差込ガイド３６を容易に挿入することができる形状で有ればいずれの形状を採用しても良い。
【００３０】
吸引ボトル３を吸引器本体２から取り外すときは、ボトルストッパーボタンン１８を押す。それにより、ボトルストッパーボタンン１８の突起によりボトルストッパーレバー１６が押上げられ、ボトルストッパーレバー１６が回動して、吸引ボトル３のスリット部３７と係止部２０との係合が解かれ、吸引ボトル３の本体２による固定が解除される。吸引ボトル３を吸引器本体２から引き出すことで、取り外される。なお、図５にボトルストッパーボタン１８が押されていない状態、図６にボトルストッパーボタン１８が押された状態を示す。
【００３１】
なお、２つのボトルストッパーボタン１８は、対称の形状を有し、両方を押した場合でも、いずれか一方を押した場合でも、同様にボトルストッパーレバー１６を押し上げる機能を果たす。また、押し込んだボトルストッパーボタンから手を離せば、ボタン付勢部材２１により、ボトルストッパーボタン１８は、元の位置まで戻る。その結果、ボトルストッパーレバー１６が回動し、係止部２０はボトルストッパーボタン１８が押されていなかった状態の位置まで下がる。
【００３２】
一方、吸引ボトル３を吸引器本体２に装着するときは、ボトル挿入ガイド３６をボトル差込ガイド受け１５に沿って挿入する。それにより、吸引ボトル３に設けられたスリット部３７が係止部２０に突き当たる。さらに、ボトル挿入ガイド３６を挿入することで、ボトルストッパーレバー１６が回動して係止部２０が持ち上がる。さらに、ボトル挿入ガイド３６を挿入することで、スリット部３７がボトルストッパーレバー１６の係止部２０の直下に位置決めされる。それにより、付勢部材１９によりボトルストッパーレバー１６が回動することで係止部２０が下がり、係止部２０がスリット部３７に係合することで吸引ボトル３が固定される。
【００３３】
なお、係止部２０の先端、特に吸引ボトル３に対向する一面を円弧状に形成すると、吸引ボトル３を装着する際に、吸引ボトル着脱機構１４にボトル接続部３５を押し込むことでボトルストッパーレバー１６が円滑に回動するため、吸引ボトル３を容易に装着することが可能となる。
【００３４】
本実施形態に係る吸引器１では、吸引ボトル３を本体２に装着する際、吸引ボトル３の接続口３１を本体２の吸引口１３に直接連結し、吸引ボトル３を本体２から取り外す際、単に接続口３１を吸引口１３から取り外すのみで良い。従来の吸引器のように、煩雑なホースの脱着作業をする必要はない。
【００３５】
なお、ボトルストッパーボタン１８及び付勢部材１９が配置される位置は、ボトルストッパーレバー１６を回動させて吸引ボトル３の係止・係止解除を簡便に可能とする構成で有ればいずれの位置でも良く、本実施形態における位置に限定されるものではない。例えば、ボトルストッパーボタン１８は、ボトルストッパーレバー１６の吸引ボトル３の方向に位置する一端の他端にその上面に当接して配置され、ボトルストッパーレバー１６のボトルストパーボタン１８が配置された他端の下面、又は、係止部２０が配置された一端の上面に当接して付勢部材１９が配置されても良い。
【００３６】
また、図７に示すように、本体２の吸引口１３に、シール材２３が装着されると、吸引ボトル３が吸引器本体２に装着されたときに、吸引口１３と接続口３１は、シール材２３を介して連結し、密着してより気密性が保たれる。これにより、吸引口１３と接続口３１の連結部で吸気漏れを起こすことなく、吸引することが可能となる。なお、シール材は、吸気口１３の代わりに、接続口３１に装着されても良く、吸気口１３に装着された場合と同様に、吸引口１３と接続口３１は、シール材２３を介して連結し、密着して気密性を保つことが可能である。
【００３７】
（第２の実施形態）
第２の実施形態に係る吸引器１は、第１の実施形態と同様に、本体２と吸引ボトル３を備える。吸引ボトル３は、本体２の一側に配置される。また、第１の実施形態と同様に、本体２には、吸引口１３と吸引ボトル着脱機構１４が設けられており、吸引ボトル３には、接続口３１とボトル接続部３５が設けられている。
【００３８】
本体２は、さらに、吸引口１３が設けられた本体２の一側に凹んだ凹状の吸引ボトルガイド２２を有する。一方、吸引ボトル３は、さらに、吸引ボトルガイド２２に対応する位置に位置する凸状の吸引ボトルガイド受け３９を有する（図８参照）。なお、吸引ボトルガイド２２の形状は、凹条に限られず、凸状であっても良く、吸引ボトルガイド受け３９は、吸引ボトルガイド２２の形状に対応する凹状又は凸状の形状で有れば良い。
【００３９】
吸引ボトル３を吸引器本体２に装着する際に、吸引ボトルガイド受け３９を吸引ボトルガイド２２に沿って挿入し、吸引ボトル３を装着する。これにより、吸引ボトル３の吸引器本体２に対する位置決めを正確に行うことができることから、吸引口１３と接続口３１の軸がずれたり、軸が一直線となることを防止可能であり、吸気口１３と接続口３１の接続部で吸気が漏れることがない。
【００４０】
また、大量の被吸引物を吸引する必要がある場合、図１０に示すように、吸引器１に２つの吸引ボトル３を吸引器本体２に直列に装着する。１段目の吸引ボトル３は、被吸引物を吸引する吸引ホースと２段目の吸引ボトル３とに連結され、２段目の吸引ボトル３は吸引器本体２へ連結される。１段目の吸引ボトル３の吸引ボトルガイド受け３９とそれに対応する吸引ボトルガイド２２の一対の形状と、２段目の吸引ボトル３の吸引ボトルガイド受け３９とそれに対応する吸引ボトルガイド２２の他の一対の形状は、異なる形状となっている。一例として、図８に２段目の吸引ボトル３の吸引ボトルガイド受け３９の形状が、半円柱断面の凸状、図９に１段目の吸引ボトル３の吸引ボトルガイド受け２９の形状が矩形断面の凸状、の場合をしめした。これにより、吸引ボトルの誤装着を防止することが可能である。なお、これらの一対の形状としては、吸引ボトルガイド２２の吸引ボトル３に対する面が円状、正方形、長方形、又は矩形の辺が曲線であっても良く、また、大きさが異なっていても良い。
【産業上の利用可能性】
【００４１】
本考案に係る吸引器は、医療又は介護の現場で、持ち運び可能な吸引器として、ホースの付け替えを行うことなく、吸引器ボトルを簡便にワンタッチで吸引器本体に脱着することができる。さらに、ホースの付け替えを行う必要が無いことから、ホースの吸引口又は接続口への取付け方が不適切であったために、ホースが外れたり、空気が漏れて十分に吸引できない等のトラブルを防止することが可能であることから、急を要する医療現場や不慣れな介護者が吸引器を取り扱う場合などに好適である。
【符号の説明】
【００４２】
１…吸引器
２…吸引器本体
３…吸引ボトル
１１…真空ポンプ
１２…吸気配管
１３…吸気口
１４…吸気ボトル着脱機構
１５…ボトル挿入ガイド受け
１６…ボトルストッパーレバー
１７…回転中心
１８…ボトルストッパーレバーボタン
１９…付勢部材
２０…係止部
２１…ボタン付勢部材
２２…吸引ボトルガイド
２３…シール材
２４…排気配管
３１…接続口
３２…吸引液溜め部
３３…吸引ホース口
３５…ボトル接続部
３６…ボトル差込ガイド
３７…スリット部
３９…吸引ボトルガイド受け
４１…空間部
４２…一次排気管部
４３…フロート
【図１】
0003200672.tif 000003
【図２】
0003200672.tif 000004
【図３】
0003200672.tif 000005
【図４】
0003200672.tif 000006
【図５】
0003200672.tif 000007
【図６】
0003200672.tif 000008
【図７】
0003200672.tif 000009
【図８】
0003200672.tif 000010
【図９】
0003200672.tif 000011
【図１０】
0003200672.tif 000012
【手続補正書】
【提出日】平成27年9月4日(2015.9.4)
【手続補正１】
【補正対象書類名】明細書
【補正対象項目名】００３０
【補正方法】変更
【補正の内容】
【００３０】
吸引ボトル３を吸引器本体２から取り外すときは、ボトルストッパーボタンン１８を押す。それにより、ボトルストッパーボタン１８の突起によりボトルストッパーレバー１６が押上げられ、ボトルストッパーレバー１６が回動して、吸引ボトル３のスリット部３７と係止部２０との係合が解かれ、吸引ボトル３の本体２による固定が解除される。吸引ボトル３を吸引器本体２から引き出すことで、取り外される。なお、図５にボトルストッパーボタン１８が押されていない状態、図６にボトルストッパーボタン１８が押された状態を示す。
【手続補正２】
【補正対象書類名】明細書
【補正対象項目名】００３５
【補正方法】変更
【補正の内容】
【００３５】
なお、ボトルストッパーボタン１８及び付勢部材１９が配置される位置は、ボトルストッパーレバー１６を回動させて吸引ボトル３の係止・係止解除を簡便に可能とする構成で有ればいずれの位置でも良く、本実施形態における位置に限定されるものではない。例えば、ボトルストッパーボタン１８は、ボトルストッパーレバー１６の吸引ボトル３の方向に位置する一端の他端にその上面に当接して配置され、ボトルストッパーレバー１６のボトルストッパーボタン１８が配置された他端の下面、又は、係止部２０が配置された一端の上面に当接して付勢部材１９が配置されても良い。
【手続補正３】
【補正対象書類名】明細書
【補正対象項目名】００３８
【補正方法】変更
【補正の内容】
【００３８】
本体２は、さらに、吸引口１３が設けられた本体２の一側に凹んだ凹状の吸引ボトルガイド２２を有する。一方、吸引ボトル３は、さらに、吸引ボトルガイド２２に対応する位置に位置する凸状の吸引ボトルガイド受け３９を有する（図８参照）。なお、吸引ボトルガイド２２の形状は、凹状に限られず、凸状であっても良く、吸引ボトルガイド受け３９は、吸引ボトルガイド２２の形状に対応する凹状又は凸状の形状で有れば良い。